Podtech/llm-jp-corpus-v4-ja_patent huggingface dataset:
(57)【要約】【課題】従来は手術時に力を加えたときに下顎骨を安定させなければ力が分散して有効な力が下顎骨あるいは下顎骨に植立している抜歯予定の歯牙に加わらなかった。そこで、下顎骨と骨下縁に、術者や助手が拳や手のひらを入れたりして安定させていた。その為、その作業を行うために人手が必要であった。また、術者は手術に両手を有効に使うことが出来なかった。【解決手段】  下顎骨への手術もしくは処置にあたり、何かしらの力が下顎骨に加わるが、その時点で顎骨下縁と他の固定部位と連結固定することにより、力の大きさや効果を最大限に発揮させることを特徴とする下顎骨固定装置。【選択図】    図１
2008264007.tif 000002
【特許請求の範囲】
【請求項１】
歯科医療用治具であって、支柱の上部に顎受け台、支柱の下部には基台があり、これが一体となっている歯科医療用治具。
【請求項２】
該基台が首から肩に馴染むように整形されていることを特徴とする請求項１記載の歯科医療用治具。
【請求項３】
医療用治具全体が首の半周以上を周回していることを特徴とする請求項１記載の歯科医療用治具。
【請求項４】
該基台および/または支柱を治療用椅子に取り付けることを特徴とする請求項１または２記載の歯科医療用治具。
【発明の詳細な説明】
【技術分野】
【０００１】
本発明は、下顎に対する外科や処置に使用される身体固定装置に係わり、特に限定的ではないが、下顎骨の歯牙や骨組織に治療もしくは外科処置を施す為に下顎骨体に力を加える時、下顎を力に耐え得る状態で固定することで、その力を有効に治療もしくは手術部位に働かせる為の下顎骨固定装置に関する。
【背景技術】
【０００２】
今までの外科治療や処置に於いては、下顎骨を安定もしくは固定させる為に助手が下顎骨と胸骨もしくは鎖骨の間ににぎりこぶしを首側部にあてる状態か、単に助手や術者の手の平を下顎骨下縁や下顎骨部に当てること（図６）で、術者の力を分散させず、有効に下顎に働かせていた。
【０００３】
また、下顎骨全体に力がかかるケースでは、助手の腕を下顎骨下縁部と胸骨もしくは鎖骨の間に介在させて、下顎骨体の安定を図っていた。（図７）
【発明の開示】
【発明が解決しようとする課題】
【０００４】
このように人が介在、あるいは協力することで下顎の安定を得ていたが、術者以外に助手がサポートできない状況や、状態あるいは助手がいても処置や外科手術に専念しなければならず、助手や術者の手がふさがっている状態では、下顎骨を安定、固定することはほとんど不可能であり、手術や処置を効率的に行えないという問題点があった。
【０００５】
本発明は、かかる問題を鑑みてなされたものであり、器具を活用することで術中にまさに人の手をかけることなく、下顎骨を安定、固定させる装置を提供することを目的とする。
【課題を解決するための手段】
【０００６】
そのため、本発明は「外科処置に使用される下顎骨固定装置（図１）であり、下顎骨下縁と周辺の場所や部分を相互に連結することで、下顎骨を固定することを特徴とする装置請求項１を提供する。
【０００７】
また、本発明は下顎下縁部皮膚に接触する部分には、クッション性を具備した合成プラスティック、布、紙、ビニール等で弾力を持たせた。これにより、特に下顎下縁部の皮膚をかかる力から保護することができた。（図８）
【０００８】
また、本発明の下顎骨に加わる力を支える場所として胸骨や鎖骨に求めることがあるが、やはり０００７記載の如く、それらの身体部分を保護する為、クッション性を持たせた。（図８）
【０００９】
(０００８)記載の如く、加わった力を支える場所を手術台や鞍頭台に求める場合は、万力の仕組みを利用して固定した。（図９）
【実施例１】
【００１０】
図１は、本実施例の下顎骨固定装置の概略外面図である。本実施例の装置は、下顎を支える部分は４０ｃｍ２の皿状の形態をなし、クッション材をその皮膚に相当する部分に張ったものを製作した。次に、鎖骨と胸骨に加わる力に対抗する支持部をやはり楕円状の皿型で約６０ｃｍ２、身体と接触する部分にはクッション材を具備したものを製作した。
下顎骨下縁の支持部（１）は、鎖骨、胸骨の支持部（３）と連結部（２）から成り立ち、その連結部は長さ５ｃｍ、７ｃｍ、１０ｃｍと３種類製作した。
【実施例２】
【００１１】
図４は、本実施例２の下顎骨固定装置の概略外面図である。マフラーの様な形態をとっており、首の周りに巻きつける方式で両端をマジックテープで止めるようになっている。表面とは布のカバーでできており、その芯の部分はグラスファイバーで補強されており、下顎骨に力が加わっても変形率１０％以下になる様、工夫されている。
【図面の簡単な説明】
【００１２】
【図１】この発明の下顎固定装置を示す斜視図である。
【図２】下顎支持部の拡大斜視図である。
【図３】内部に補強材を入れることで、補強を図った下顎固定装置の透視図である。
【図４】頚椎や脊髄保護の為、作られたギブスを下顎固定用に変形させた下顎固定装置の斜視図である。
【図５】端末支持部を安頭台や手術台に求め、より強固とした下顎固定装置。
【図６】アシストが手指を利用して下顎を固定している従来の方法の斜視図。
【図７】アシストが腕を使って下顎を固定している従来の方法の斜視図。
【図８】体の接触部にクッション材を持たせた下顎の固定装置の分解斜視図。
【図９】リテーナーを歯科用ユニットに可撤式に装着した斜視図。
【符号の説明】
【００１３】
１  下顎下線支持部
２  連結部
３  端末支持部
４  補強材
５  マジックテープ
６  ホック
７  安頭台や治療台の固定部
８  クッション材
９  安頭台
１０  ユニット本体
１１  万力
【図１】
2008264007.tif 000003
【図２】
2008264007.tif 000004
【図３】
2008264007.tif 000005
【図４】
2008264007.tif 000006
【図５】
2008264007.tif 000007
【図６】
2008264007.tif 000008
【図７】
2008264007.tif 000009
【図８】
2008264007.tif 000010
【図９】
2008264007.tif 000011
(57)【要約】【課題】人体のストレス計測および抵抗力（免疫力）を評価できる装置を提供する。【解決手段】人体のストレスを計測する装置において、２個から６個の電極センサーを人体の１〜７箇所の部位に接触させ、各電極間から矩形波電流を入力し微弱電流による刺激を加えることで、各部位ごとの計測した時点のストレスを評価する。さらに、連続して２回目の刺激を与え、１回目と２回目の計測値の変化量から免疫力を評価する。計測結果は数値または色により表示され、コメントが印刷される。【選択図】  図１
2008264226.tif 000002
【特許請求の範囲】
【請求項１】
交感神経の活性（興奮度）を計測する装置であって、２個から６個の電極センサーを人体の１〜７箇所の部位に接触させ、各電極間に矩形波電流を入力することを特徴とする計測装置。
【請求項２】
交感神経の活性（興奮度）を計測する装置であって、２個から６個の電極センサーを人体の１〜７箇所の部位に接触させる手段、該電極センサーを通して人体に矩形波電流を入力し刺激し、その電極間のインピーダンス（電気特性曲線）として変換し、その変換した電気特性曲線から人体のストレスを演算する評価手段及びソフトウェア。
【請求項３】
交感神経の活性（興奮度）を計測する装置であって、２個から６個の電極センサーを人体の１〜７箇所の部位に接触させる手段、該電極センサーを通して人体に矩形波電流を入力し刺激し、その電極間のインピーダンス（電気特性曲線）として変換、その変換した電気特性曲線から人体のストレスを演算し、連続して刺激を与え１回目と２回目の演算結果の変化量から人体の抵抗力（免疫力）を評価する手段を特徴とする人体のストレスに対する抵抗力（免疫力）の評価方法。
【発明の詳細な説明】
【技術分野】
【０００１】
本発明は、交感神経の活性（興奮度）を計測する装置に関するものである。
【背景技術】
【０００２】
従来のインピーダンスを利用してストレスを計測する方法では、矩形波電流による刺激が1回であったため、計測したその時点でのストレス度合いだけの評価であった。
【０００３】
人体のストレスの評価方法には、心拍変化、唾液や血液の採取による評価があるが、どれも計測してから結果が得られるまでに時間がかかるといったことや、分析に専門的な技術が必要であった。
【特許文献１】特開２００５−２１４１４公報
【特許文献２】特開２００３−１９１２２公報
【発明の開示】
【発明が解決しようとする課題】
【０００４】
ストレス（精神的・肉体的刺激によって生じる心身のひずみ、またはそういう刺激）を感じる事無く日常を過ごすことはできない。しかし、身体のどの部位にどれだけのひずみが生じているか自分自身で確かめることができなかったため、心身に溜まったストレスをどの部位がどれくらい感じているか数値で解析する検査機器が必要である。
【０００５】
従来のインピーダンスを利用した計測装置では、計測をした時点でのストレス度合いだけの情報しか得ることができなかった。
【課題を解決するための手段】
【０００６】
矩形波電流の入力による刺激を、従来の1回の刺激から連続して２回刺激を与えることで、２回の計測結果の変化量から抵抗力（免疫力）の評価をする。
【発明の効果】
【０００７】
抵抗力（免疫力）を計測することができるようになることで、従来のストレス度の評価よりも身体の状態をより知ることができ、健康状態の指標として役立てることができる。
【発明を実施するための最良の形態】
【０００８】
本発明の装置の計測手順について説明する。自律神経作用は交感神経と副交感神経のバランスにより調整される。本発明の装置ではあらかじめ外部刺激として加え、その刺激に呼応して神経幹から発生する活動電位（あるいは反射電位）を計測している。図１は計測された反射電位の特性を示したものである。人工的にせよ、一旦外部刺激を受けた神経幹は暫くの間活動状態となる。言い換えれば脳中枢神経はこの人工外部刺激をストレスと認識し防護指令として自律神経に指示を出している状態である。この活動状態の時間内に再度全く同じ電気信号を加える（図１中線２カーブ）。防護刺激を受けた神経幹は前回よりも外部刺激に対し抵抗の反射電位を発生する。すなわちこの反射電位の差（１回目の電位と２回目の電位差）がその計測部位毎の抵抗力（免疫力）として評価できる。
【０００９】
本発明の装置の計測プログラムについて説明する。２〜６個の電極センサーを人体の１〜７箇所の部位に接触させ、該電極センサーを通して人体に矩形波電流を入力して刺激する。刺激に対する反応を該電極間のインピーダンス（電気特性曲線）として変換させ、次いで変換した電気特性曲線から交感神経の活性（興奮度）を演算させ、続けてさらに１回矩形波電力の入力により刺激を与える。１回目（図１中線１カーブ）と２回目（図２中線２カーブ）の刺激により得られるそれぞれの演算結果の変化量から人体の抵抗力（免疫力）を評価する。演算により得られた結果は数値または色により表示する。さらには、結果に対応したコメント等をプリンターにより印字させる。
【００１０】
本発明の装置のストレス度合い及び抵抗力（免疫力）の演算について説明する。ストレス度合いの計算式は出力値（ｖ−ｓｅｃ）÷基準値（ｖ−ｓｅｃ）×１００＝基準値に対する比（％）で演算される。
【００１１】
出力値が０ｖ−ｓｅｃの場合（最小値）は基準に対する比０％、出力値が基準値と等しい場合（最適値）は基準値に対する比１００％、出力値が基準値の２倍の場合（最大値）は基準値に対する比２００％となる。
【００１２】
抵抗力（免疫力）は１回目と２回目の差から評価する。
【実施例１】
【００１３】
本発明の交感神経の活性（興奮度）を計測する装置の実施例を図２により説明する。３、４、５はそれぞれ頭、手、足に接触させる電極センサーである。該電極センサーを人体の１〜７箇所に接触させる。該電極センサー間に矩形波電流を入力し、該電極センサー間から刺激に対する反射をインピーダンス（電気特性曲線）として変換させる。該電極センサーから得られる電極信号は電気特性曲線として取り込まれる。この曲線の高さ、傾き及びその違いから被測定者の人体のストレス度合いを演算する。１回目の計測が終わった後に、連続して２回目の矩形波電流入力による刺激を加え、その変化量から抵抗力（免疫力）の評価を行う。計測結果は表示部６に数値または色で表示され、プリンター７によりコメント等が印刷される。
【００１４】
計測の手順を図３により説明する。本発明の装置の電源を投入し起動し、操作ガイドが流れる。電極センサーを取り付け計測の準備をして計測を開始する。計測結果が数値または色で表示部に表示され、続けて２回目の計測が開始される。計測終了後ストレス度合い、抵抗力（免疫力）、コメント等が印字される。
【図面の簡単な説明】
【００１５】
【図１】本発明における外部刺激に対する反射電位を示す説明図である。
【図２】本発明の装置の説明図である。
【図３】本発明の装置の計測フローである。
【符号の説明】
【００１６】
１  １回目の外部刺激に対する反射電位
２  ２回目の外部刺激に対する反射電位
３  電極センサー（頭部）
４  電極センサー（手部）
５  電極センサー（足部）
６  表示部
７  プリンター
【図１】
2008264226.tif 000003
【図２】
2008264226.tif 000004
【図３】
2008264226.tif 000005
(57)【要約】【課題】  本発明は、業務用及び家庭用に広く使用される肉焼き器に関するもので、調理時に発生する肉汁等の周囲への飛散を最少限に抑止するとともに強力な熱波力の発揮により火煙を発生させることなく安心して肉焼きを行うことを目的とする。【解決手段】  上面が膨出形状に成る盤体１の表面部において、盤体周囲に凹溝部２を形成するとともに適当高さを有する凸起部３・・を点状に多数個設置し、前記全凸起部を含む盤体表面部における耐熱温度帯面５を最高２６０℃以下に設定するようにして成るもので、前記耐熱温度帯面５は弗素樹脂その他の同効資材によって構成する。【選択図】    図３
2008264157.tif 000002
【特許請求の範囲】
【請求項１】
上面が膨出形状に成る盤体の表面部において、盤体周囲に凹溝部を形成するとともに適当高さを有する凸起部を点状に多数個設置し、前記盤体表面部における耐熱温度帯を最高２６０℃以下に設定するようにして成ることを特徴とする肉焼き器。
【請求項２】
全凸起部を含む盤体表面部の耐熱温度帯面を弗素樹脂又は同効資材によって構成して成る請求項１に記載した肉焼き器。
【発明の詳細な説明】
【技術分野】
【０００１】
本発明は、業務用及び家庭用に使用される肉焼き器に関するものである。
【背景技術】
【０００２】
従来存する肉焼き用の加熱調理器としては、例えば次のようなものが知られている。
【０００３】
【特許文献１】登録実用新案第３０６４７８３号公報
【特許文献２】特開２００１−３４６６９５号公報
【０００４】
しかし、第１文献に見られる肉焼き器は、加熱盤体の表面部に直線状に多数の凸起列を構成した器具であり、これは保熱性はあっても盤面上の肉汁の流れがスムースにいかない欠点があり、第２文献に見られるホットプレートは、肉焼きをしたとき、肉汁等の油脂が大量に飛散することになるから、プレートに水分を含む肉汁が垂れ落ちた際に水が瞬間的に蒸発し、油を跳ね返すようになる。これは天ぷら油に食材や水滴を入れた時と同様の現象であり、プレートに垂れ落ちた肉汁は肉材とプレートの隙間ではじけることにより、横方向に飛び出してテーブル上を汚すおそれが十分にあった。
【０００５】
また、特許文献２で説明されていることは、加熱調理器の焼き面部との肉材の接触面積を減少し、輻射熱によって調理することを目的としているものではあるが、この考え方は炭火によって網焼きする調理方法と同義であり、肉汁等が流れる溝を設けてはいても、焼き面温度が３００℃以上になると肉油は発煙するし、焼き付いた油かすを除去することが極めて困難な状態となる。にもかかわらず、明細書には４００〜６００℃程度の高温度を想定した記載があることは、発煙・発火が危惧されるとともに焼肉調理の実態を無視した考え方といわねばならないのである。
【発明の開示】
【発明が解決しようとする課題】
【０００６】
そこで、本発明はこれらの従来の肉焼き器具の欠点を一掃したものを提供することを目的とする。
【課題を解決するための手段】
【０００７】
本発明は、上面が膨出形状に成る盤体の表面部において、盤体周囲に凹溝部を形成するとともに適当高さを有する凸起部を点状に多数個設置し、前記盤体表面部における耐熱温度帯を最高２６０℃以下に設定するようにして成るものである。
【発明の効果】
【０００８】
第１に、盤体の膨出表面部に点状に多数個設けている各凸起部がそれ自体それぞれ比較的広い表面積を有するものであるから、盤体本体の加熱力と各凸起部の有する加熱力との総合計によって盤体全体は強力な熱波力を発揮することができるようになる。
【０００９】
第２に、盤体表面部における温度帯を例えば弗素樹脂による耐熱加工を施しているから、盤体全体において保熱力があるのみならず、肉汁からの油はねの防止と発煙を最少限に抑止することができる。
【００１０】
第３に、盤体の凸起部の各接触点と輻射熱によって肉材からしみ出た肉汁は肉材の真下に落下し、はじけた肉汁は上方の肉部分に当って跳ね返るから、それが横方向にはじけたとしても、周囲の多数の凸起部にすべて阻止され盤体外部に飛散することは殆どない。
【００１１】
第４に、肉材への焼熱化は良好になり、食用に適する柔軟性を増すことができる。
【発明を実施するための最良の形態】
【００１２】
盤体の表面部に多数個構成されているものは全体が点状に成る凸起部であるが、この凸起部の先端面は角形であろうと円形であろうと、各凸起部自体が有する表面積はかなり広いものとなるから、載置する肉材との間の点接触関係と相俟って、加熱時に肉材に跳ね返った肉汁の流通は円滑である。
【００１３】
肉汁の盤体外方向への飛散は少なく、肉汁が周囲の調理者の顔面にかかるようなことは起らない。
【実施例】
【００１４】
１は全体が任意形状の大きさに成る盤体で、これはアルミダイキャストで成形する。
【００１５】
２は前記盤体１の周囲に設けた凹溝部で、この凹溝部を除く膨出状に成る盤体表面部には適当な高さを有する凸起部３・・を点状に多数個設置する。
【００１６】
４は前記盤体１表面の凸起部・・の間に形成する流油路で、これらはすべて周囲の前記凹溝部２に通ずる。
【００１７】
前記盤体１の表面部には弗素樹脂又はその同効資材により耐熱加工被膜を施した耐熱温度帯面５を形成するが、この耐熱温度帯は最高温度２６０℃とするものであるから、他の樹脂加工面によるものに比して肉は焦げつきにくく、３００℃以上になると起こる肉油による発煙現象が起こることはない。
【００１８】
６は前記盤体１の裏面部に設けた熱源部（電気式）である。
【図面の簡単な説明】
【００１９】
【図１】全体の平面図
【図２】全体の底面図
【図３】図１Ａ−Ａ線断面図
【符号の説明】
【００２０】
１                    盤体
２                    凹溝部
３・・                凸起部    
４                    流油路
５                    耐熱温度帯面
【図１】
2008264157.tif 000003
【図２】
2008264157.tif 000004
【図３】
2008264157.tif 000005
(57)【要約】【課題】より簡潔・安価に製造され、且つ、弁蓋に簡単に装着でき、美観及び衛生面で有効な便蓋カバーを提供すること。【解決手段】洋式便器の便蓋の上面及び側面の少なくとも一部を覆う、プラスチック製便蓋カバー、特に、更に便蓋の裏側への折り返し部を有し、洋式便器の便蓋の上面及び側面の少なくとも一部と略同一の立体的形状を有する便蓋カバー。【選択図】図２
2008264149.tif 000002
【特許請求の範囲】
【請求項１】
洋式便器の便蓋の上面及び側面の少なくとも一部を覆う、プラスチック製便蓋カバー。
【請求項２】
更に、便蓋の裏側への折り返し部を有する、請求項１記載の便蓋カバー。
【請求項３】
洋式便器の便蓋の上面及び側面の少なくとも一部と略同一の立体的形状を有する、請求項１又は２記載の便蓋カバー。
【請求項４】
便蓋の裏側への折り返し部により、便蓋に巻掛け係止されることを特徴とする、請求項３記載の便蓋カバー。
【請求項５】
少なくとも便蓋の上面側に当たる部分に模様又は絵柄が付与されている、請求項１〜４のいずれか一項に記載の便蓋カバー。
【請求項６】
プラスチックが透明である、請求項１〜５のいずれか一項に記載の便蓋カバー。
【請求項７】
一体成形にて製造されることを特徴とする、請求項１〜６のいずれか一項に記載の便蓋カバー。
【発明の詳細な説明】
【技術分野】
【０００１】
本発明は、洋式便器の便蓋に取り付けて使用する便蓋カバーに関する。
【背景技術】
【０００２】
洋式便器は、通常、便器本体、その上に載せられる便座、及び、不使用時に便座の開口部を覆う為の便蓋から構成されている。
【０００３】
この便蓋を覆う為のカバーはこれまでにも開発されてきた。例えば、折り返し部によって蓋の外周に着脱可能に巻掛け係止されている表カバー、該蓋の裏面側を被覆する裏カバー、及び、該表カバーの折返し部及び裏カバーに付設された係止具を有し、それらの係止具を掛止して着脱可能に被覆する蓋カバー（特許文献１）、或いは、便ふたカバーの裏側に伸縮部材または長さ調節可能な紐を取り付け、便ふたの表面側から裏面側に案内する扁平な案内具を有する便ふたカバー（特許文献２）等がある。
【特許文献１】特開平８−１６４０９２号公報
【特許文献２】特開２０００−３３３８７９号公報
【発明の開示】
【発明が解決しようとする課題】
【０００４】
上記のような従来の便蓋カバーは、いずれも複数の要素から成る複雑な構成を有しており、使用する際に煩雑な手間がかかる。従って、より簡潔・安価に製造され、且つ、弁蓋に簡単に装着でき、美観及び衛生面で有効な便蓋カバーの開発が求められていた。
【課題を解決するための手段】
【０００５】
即ち、本発明は、洋式便器の便蓋の上面及び側面の少なくとも一部を覆う、プラスチック製便蓋カバーに係るものである。
【発明の効果】
【０００６】
本発明の便蓋カバーはプラスチック製であり、一つの要素から構成されているので、大量生産によって非常に安価に製造することができ、更に、弁蓋に簡単に装着することが出来るので、美観及び衛生面で優れたものである。
【発明を実施するための最良の形態】
【０００７】
本発明のプラスチック製便蓋カバーは、洋式便器の便蓋の上面及び側面の少なくとも一部を覆うものである。便蓋カバーは便蓋の上面及び側面の全てを覆うだけの面積を有している必要はないが、美観及び衛生の面からは、出来るだけ広い部分をカバーできるようにすることが好ましい。例えば、少なくとも便蓋の上面の実質的に全ての部分はおおわれるようにすることが好ましい。更に、便蓋により強固に固定させるために便蓋の裏側への折り返し部を有することが好ましい。
【０００８】
便蓋カバーの厚さは適当でよいが、製造工程及び便座への装着時を考慮して比較的薄いものが好ましく、例えば、数ミリ程度のものが好ましい。
【０００９】
本発明の便蓋カバーの一態様として、洋式便器の便蓋の上面及び側面の少なくとも一部と略同一の立体的形状を有するものがある。このような立体的形状を有する型では、便蓋の裏側への折り返し部により、便蓋カバーを便蓋に巻掛け係止させることが出来る。
【００１０】
このような立体的形状を有する便蓋カバーは、当業者に公知の任意の方法、例えば、カバーする便蓋の形状に合わせた作製した金型等を使用した射出成形等の適当な手段によって、一体成形にて製造することが可能である。
【００１１】
この場合に、便蓋カバーの素材であるプラスチックとしては、ＡＳ樹脂、ポリカーボネート、硬質ポリエチレン、ポリプロピレン、複合材入りポリプロピレン、メタアクリル樹脂、ＡＢＳ樹脂、ナイロン等の当業者に公知の適当な硬質プラスチックが好適である。硬度としては、例えば、ＪＩＳ−Ｋ６３０１に規定のＡ形（スプリング式硬さ試験のＡ形）で約６５以上が望ましい。
【００１２】
別の態様として、便蓋カバー全体が一枚の平坦なプラスチックシート（フィルム）から構成することも可能である。このような場合には、便蓋カバーの素材であるプラスチックとしては、軟質ポリ塩化ビニル等の軟質プラスチックを使用することが好ましい。
【００１３】
本発明の便蓋カバーの裏面の適当な箇所に接着剤等から構成される適当な接着層又は固定手段を設けることによって、便蓋との固定を更に強固にすることも可能である。
【００１４】
更に、例えば、少なくとも便蓋の上面側に当たる部分に模様又は絵柄等が付与されていることによって、美観に優れたものとすることができる。このような模様又は絵柄は当業者に公知の任意の方法によって付与することが出来る。例えば、印刷技術等の技術を用いて直接プラスチックに付与するか、又は、模様又は絵柄が付与されたシール等の付設物を便蓋カバーの適当な箇所に張る等によって、間接的に付与することも可能である。
【００１５】
プラスチックは透明又は不透明のいずれでもよく、適当な色に着色されていても良い。透明な場合には、便蓋自体の色を生かして便器全体の色調の統一を保持することが出来る。
【００１６】
本発明の便蓋カバーは比較的薄いプラスチック製であるので、装着時に多少変形させることが可能である。例えば、立体的形状を有する便蓋カバーの場合には、便蓋の上面側から覆うようにしたり、又は、便蓋前方よりスライドさせて着脱可能に装着することが可能である。又、一枚の平坦なプラスチックシートから構成される便蓋カバーの場合には、便蓋に単に貼付することによって装着できる。このように、本発明の便蓋カバーは極めて簡便に使用することができる。
【産業上の利用可能性】
【００１７】
本発明によって、美観及び衛生面で有効な便蓋カバーが提供される。
【図面の簡単な説明】
【００１８】
【図１】本発明の便蓋カバーの一例を示す。
【図２】本発明の便蓋カバーの一例が装着された洋式便器の一部を示す。
【符号の説明】
【００１９】
１：便蓋カバー、２：便蓋、３：便座、４：便器本体、５：折り返し部
【図１】
2008264149.tif 000003
【図２】
2008264149.tif 000004
(57)【要約】【課題】お味噌汁などをよそった後のお玉を鍋に納める為の  お玉掛け付鍋蓋を提供する。【解決手段】お味噌汁などをよそった後のお玉を鍋に納める為に  鍋蓋にフックを取り付けた  お玉掛け付鍋蓋である。【選択図】図２
2008264454.tif 000002
【特許請求の範囲】
【請求項１】
お味噌汁などをよそった後のお玉を鍋に納める為のお玉掛け付鍋蓋である。
【発明の詳細な説明】
【技術分野】
【０００１】お味噌汁などをよそった後のお玉を鍋に納める為の  お玉掛け付鍋蓋に関するものである。
【背景技術】
【０００２】お味噌汁などをよそった後のお玉を鍋に差し込んで蓋が、完全に閉まらない状態か、鍋の側に露出で置いていた。
【発明の開示】
【発明が解決しようとする課題】
【０００３】そのために鍋の蓋が閉まらない事や、露出で置かれている事で衛生的でない。
本発明は、以上の問題点を解決したものである。
【課題を解決するため手段】
【０００４】お味噌汁などをよそった後のお玉を鍋に納める為の  お玉掛け付鍋蓋。
【発明の効果】
【０００５】お玉が、鍋のなかに納まり、蓋も閉まることで、衛生的である。
調理中、温め直しでもお玉を、収めたままできる。
蓋を裏返し、蓋の裏についたお玉掛けフックにお玉を置くことができる。
【発明を実施するための最良の形態】
【０００６】以下、本発明の実施の形態について説明する。
鍋蓋の裏側に１．フックをボルト．ナットで取り付け２．蓋縁カットするか蓋縁をお玉の柄がとおる分へこめる
本発明は、以上の構成からなる、お玉掛け付鍋蓋である。
以下使用法について説明する。
汁物等をすくった後、１．フックにお玉の柄を掛け  ２．蓋縁カットにお玉の柄をとうし蓋をする。
お玉は、先端を下げることで汁が、柄に行かないよう  １．フック取り付け位置を調整しておく必要がある。
【図面の簡単な説明】
【０００７】
【図１】  本発明の蓋裏図
【図２】  本発明の蓋縁へこみ断面図
【図３】  本発明のフックの拡大図
【図４】  本発明の蓋縁カット断面図
【符号の説明】
【０００８】１はフック
２は鍋
３はお玉
４は蓋
５は蓋縁カット
６ボルト穴
【図１】
2008264454.tif 000003
【図２】
2008264454.tif 000004
【図３】
2008264454.tif 000005
【図４】
2008264454.tif 000006
(57)【要約】【課題】気管切開チューブ（カニューレ）を首に固定するひもは、取り外しが容易にできなくて、伸縮がないためきつく縛ると首にくい込み、ゆるくすると気管切開チューブが外れやすくなる。【解決手段】固定するひもを、ガーセや綿などの素材を４枚重ねて縫ってバンドＡを作り、バンドの両端にマジックテープの凹部分Ｂ，Ｂ’を取り付ける。気管切開チューブ（カニューレ）の両側の穴Ｆ，Ｆ’の中に、バンドの両先端に取り付けたマジックテープの凹部分Ｃ，Ｃ’を通して、Ｂ，Ｂ’にくっつけるだけなので取り外しが簡単で、長さ調整も可能である。また、バンド中央部分にゴムひもＤを縫い付けたことにより、伸縮性もある。【選択図】図１
2008264457.tif 000002
【特許請求の範囲】
【請求項１】
気管切開した箇所に装着する気管切開チューブ（カニューレ）を首に固定するためのバンドで取り外しが容易にでき、また、伸縮できることを特徴とするカニューレ固定バンド
【請求項２】
前期バンドは、バンドの両側にマジックテープをつけ、取り外しと長さ調整が容易にでき、中央部分にゴムひもを縫い付けているので、伸縮があり首を動かしても負担にならないことを特徴とする請求項１記載のカニューレ固定バンド。
【発明の詳細な説明】
【技術分野】
【０００１】  この発明は、医療機器で気管切開した人が使用する装具、気管切開チューブ（カニューレ）を固定するために用いるバンドの形状に関する。
【背景技術】
【０００２】  従来の気管切開したところに装着する気管切開チューブ（カニューレ）Ｅを固定するために用いるバンドの形状は、図３に示すように、バンドの形状ではなく幅１ｃｍ、長さ３０ｃｍぐらいのひも状Ｈで、気管切開チューブ（カニューレ）Ｅの両側の穴Ｆ，Ｆ’にひもを通して結び固定するものである。
【発明の開示】
【発明が解決しようとする課題】
【０００３】  しかしながら、以上の技術によれば、ひも状ではひもをはずれないようしっかり結ぶため、取り外しが容易でなく、特に気管切開チューブ（カニューレ）を首にしっかり固定しようしてひもをきつく縛りすぎると、ひもが首にくい込む場合もでてくるし、反対にゆるすぎると気管切開チューブ（カニューレ）が外れやすくなる。
そこで、この発明は、バンドの取り外しが容易にでき、伸縮があり、長さ調整も出来るカニューレ固定バンドを提供することを課題とする。
【課題を解決するための手段】
【０００４】  以上の課題を解決するために、第一発明は、気管切開した箇所に装着する気管切開チューブ（カニューレ）を首に固定するためのバンドで、取り外しが容易にでき、また、伸縮が出来ることを特徴とするカニューレ固定バンドである。
また、第二発明は、バンドの両側にマジックテープをつけ、取り外しと長さ調整が容易にでき、中央部分にゴムひもを縫い付けているので、伸縮があり首を動かしてもくい込んだりして、首に負担をかけないことを特徴とするカニューレ固定バンドである。
【発明の効果】
【０００５】  第一発明、または第二発明によれば、カニューレ固定バンドの両側にマジックテープつけ、バンドの中央部分にはゴムひもを縫い付けているので、バンドの取り外しと長さ調整が容易にでき、伸縮もあるため首にくいこみにくい。
【発明を実施するための最良の形態】
【０００６】  この発明の一実施形態を、図１に示す。
カニューレ固定バンドの本体Ａはガーゼや綿などの素材を４枚重ねて作っていて、肌にやさしく、汗も吸い取り、洗濯も容易に出来る。この本体Ａの両側には、マジックテープの凹部分Ｂ，Ｂ′が取り付けられ、本体の両先端にはひも状のマジックテープ凸部分Ｃ，Ｃ′が取り付けられている。図２が気管切開チューブ（カニューレ）本体Ｅの両端の穴Ｆ，Ｆ’に、バンド本体の両先端のマジックテープ凸部分Ｃ，Ｃ’を通して、マジックテープ凹部分Ｂ，Ｂ’にくっつけて、気管切開チューブ（カニューレ）本体Ｅを固定した図である。また、バンド本体の布の中の中央部分に、Ｄのゴムひもを十字Ｄ‘のように縫い付けているので伸縮が出来るようになった。【０００７】「実施形態の効果」
この実施形態によれば、マジックテープの凹部分Ｂ，Ｂ’と、凸部分Ｃ，Ｃ’の取り外しで、気管切開チューブ（カニューレ）の着脱とバンドの長さ調整が容易にできやすい。
また、バンドの中央部分Ｄにゴムひもを縫い付けたので、伸縮性があり首を動かしてもバンドが首にくいこみにくい。【０００８】「他の実施形態」
図１の実施形態では、マジックテープや中央部分のゴムひもの縫い付けは、重要であるが、他の実施形態では、気管切開チューブ（カニューレ）を装着する人の首の太さや長さによって、バンド本体の太さや長さをサイズごとに数種類できる。
【図面の簡単な説明】
【０００９】
【図１】この発明の一実施形態を示す斜視図である。
【図２】気管切開チューブ（カニューレ）にカニューレ固定バンド図装着した斜視図である。
【図３】従来技術を示す斜視図である。
【符号の説明】
【００１０】Ａ  カニューレ固定バンド本体            Ｂ、Ｂ′  マジックテープの凹部分
Ｃ、Ｃ′  マジックテープの凸部分        Ｄ  中央部分のゴムひも
Ｄ‘  ゴムひもをバンド本体に縫い付けている部分
Ｅ  気管切開チューブ（カニューレ）本体
Ｆ、Ｆ’  マジックテープのＣ，Ｃ’を通す穴      Ｇ  気管内に挿入する部分
Ｈ  従来の固定用のひも
【図１】
2008264457.tif 000003
【図２】
2008264457.tif 000004
【図３】
2008264457.tif 000005
(57)【要約】【課題】ハンドルを引き押し、回転させる事で健康又はダイエット運動となる健康運動具を提供する。【解決手段】本体に基板と支点軸に連結された軸筒よりなる負荷装置を設け、該負荷装置のシャフトに連結されたハンドル機構より構成される。【選択図】図１
2008264458.tif 000002
【特許請求の範囲】
【請求項１】
本体に基板と支点軸に連結された軸筒よりなる負荷装置を設け、該負荷装置のシャフトに連結されたハンドル機構により構成される健康運動具。
【請求項２】
本体に重りの為に注水口を持つタンクを具備することを特徴とする請求項１記載の健康運動具。
【請求項３】
支点軸に連結された軸筒よりなる負荷装置に負荷強弱の調節機構を具備し、負荷装置のシャフトにハンドル回転に負荷の強弱の調節機構を具備したことを特徴とする請求項１又２記載の健康運動具。
【発明の詳細な説明】
【技術分野】
【０００１】本発明は、ハンドルを引いたり押したり、回転させることで健康又は、ダイエット運動となる健康運動具に関するものである。
【背景技術】
【０００２】従来、腹にあてがい腕で腹筋を鍛えるものはあった。
又、筋肉トレーニングをする油圧シリンダー機はあった。
【発明の開示】
【０００３】その為、次のような問題点があった。
腹にあてがうので皮膚を傷めたり、設置場所を広めにとらないといけなく手軽に横腹の贅肉をシェイプアップさせたり、筋肉トレーニングの効果が少なかった。
本発明は、以上の問題点を解決しようとするものである。
【課題を解決する為の手段】
【０００４】本体に基板と支点軸に連結された軸筒よりなる負荷装置を設け、該負荷装置のシャフトに連結されたハンドル機構より構成される。
【発明の効果】
【０００５】ハンドルを引いたり押したりすることで、有機酸素運動となり、室内にいながら車の運転をする運動と同様の運動を実施することができる。この際、上半身、手、腕、腹筋、胸部を鍛えることができ、余分な脂肪の燃焼により短時間でシェイプアップ、バストアップ又は、メタボリック症候群に引き締め効果が得られる。
本体に重りの為に注水口を持つタンクを具備することで、ハンドルを引き押し回転の際、本体のぐらつきをおさえる。
支点軸に連結された軸筒よりなる負荷装置に負荷強弱の調節機構を具備し、負荷装置のシャフトにハンドル回転に負荷の強弱の調節機構を具備したことにより、短時間で筋力を鍛えたり、人の運動能力に合わせた運動具になる。
【発明の実施する為の最良の形態】
【０００６】以下、本発明の実施の形態について説明する。
座式運動具（１）は、本体（２）、基板（４）、開口穴（３）の内側に図２の支点（１０）を設け、支点（１０）に連結された軸筒（７）からなる負荷装置（９）を取り付ける。負荷装置（９）のシャフト（８）にはハンドル（５）が連結される。
図２で本体（２）の内部にタンク（１１）が土台として収まり注水口か水を入れフタをする。
負荷装置（９）はシャフト（８）がのび縮みし、その強弱は、負荷調節ダイヤル（１３）でダイヤルを回して調節する。又、シャフト（８）は、軸筒（７）に回転調節ダイヤル（６）があり、ハンドル（５）を回転させる時にその強弱を回転調節ダイヤル（６）のダイヤルを回して調節する。
図１のカウンター（８）は、負荷装置（９）の動きを配線などでつながり運動量をカウントする。
この制御機構は従来のカウント表示に使われる技術よりなる。
本発明は以上の構成よりなっている。
本発明を使用する時は、図３の本体（２）の前に人が座りハンドル（５）を人が持ち運動する。
動作としては、使用者がハンドル（５）を手前に引き、そしてハンドル（５）を押す。これを繰り返して運動する。又ハンドル（５）を回転させて運動する。左右に回転して運動する使用者の座高の高さに合わせ開口穴（３）で支点（１０）に連結されている軸筒を上下に移動させ固定し、ハンドル（５）の高さを変える。
異常の動作により、脇腹、腹筋、手、腕、胸部を鍛え、シェイプアップ、バストアップまたリハビリとして利用する。
【図面の簡単な説明】
【０００７】
【図１】本発明の斜視図
【図２】本発明の断面図
【図３】本発明の使用状態図
【符号の説明】
【０００８】１．座式運動具
２．本体
３．開口穴
４．基板
５．ハンドル
６．回転調節ダイヤル
７．軸筒
８．カウンター
９．負荷装置
１０．支点
１１．タンク
１２．注水口
１３．負荷調節ダイヤル
【図１】
2008264458.tif 000003
【図２】
2008264458.tif 000004
【図３】
2008264458.tif 000005
(57)【要約】【課題】従来のパチンコ遊戯台は、あらかじめ設定された大当たり数字の設定でしか遊戯が出来ず、この大当たり数字を遊戯者が任意に設定する権限を持たない。また大当たりの発生率も遊戯台によって大当たり設定の個数から発生率が定められており、遊戯者はこの発生率を指定できる権限を持たない。【解決手段】遊戯者が競馬の勝ち馬投票券状の、大当たり発生設定の投票券を遊戯台に読み込ませ、設定することで、遊戯者権限の設定による大当たり発生、還元率の双方を設定できる遊戯台とする事で、遊戯者の満足を得、現状は複数の固定還元率を持つ遊戯台に還元率の変動を持たせることで、一定の占有スペースながら収容人数を増やすことができ、遊戯台使用者側の満足と土地有効利用の双方の効果が得られる。【選択図】図１
2008264452.tif 000002
【特許請求の範囲】
【請求項１】
遊戯者が当たり設定を任意で変更できることを特徴とするマークシート方式等による大当たり数字指定可能な構造設計をもつパチンコ遊戯台。
【請求項２】
遊戯者が当たり設定を任意で変更できることを特徴とするマークシート方式等による大当たり数字指定可能な構造設計をもつスロットマシン遊戯台。
【発明の詳細な説明】
【技術分野】
【０００１】この発明は、パチンコ遊戯台の新たな遊戯方法、その利便性の為の構造設計に関する。
【背景技術】
【０００２】従来のパチンコ遊戯台は、あらかじめ定められた数字の組み合わせ設定によって大当たり状態が決定され、遊戯者は大当たり設定変更への権限がない。
【発明の開示】
【発明が解決しようとする課題】
【０００３】しかしながら、以上の技術によれば、遊戯者は機器に設定された数字の組み合わせを遊戯しながら待っているだけの状態にある。
そこで、この発明は、遊戯者が自分好みの数字の組み合わせをマークシート等の簡便な方法で遊戯台に設定させる事で、従来とは異なった方法での遊戯方法を提供することを課題とする。
【課題を解決するための手段】
【０００４】以上の課題を解決するために、第一発明は、遊戯台に遊戯者が任意に設定した数字を読み込ませるためのマークシートリーダー、もしくはカードリーダー、手入力装置等の任意設定装置を備えたことを特徴とする遊戯台の構造設計にある。
また、第二発明は、同様の構造を備えたことを特徴とするスロットマシン遊戯台にある。
【発明の効果】
【０００５】第一発明、または第二発明によれば、遊戯者は遊戯台に任意の数字が設定できることで大当たりが出るまでの遊戯中の関心が増す。また遊戯者の任意に設定する方法により、出玉数の多い大当たりを決定する、もしくはそれを行わずに、出玉数は少ないが当たる確率の高い小当たりなどの設定も行えるようにすると、一台の遊戯機械で出玉数が変化し、より幅広い層の遊戯者が遊戯できるようになり、機器設備の陳腐化防止にも繋がる。
また現状の遊戯台では３連の数字、図柄により大当たりが決定されるが、遊戯者の任意でこの数字、図柄を４連、５連と設定することで、大当たりの際の出玉数を大きく設定できる。
現状の遊戯台では大当たり数字、図柄を４連、５連と大きくすることは大当たり率の低下を招くのみで、一般の遊戯者にとって意味を成さないが、この任意設定装置により例えば６連する数字の任意の２連のみの数字を指定できることで、小当たりの設定が可能で、同一の遊戯台でも幅広い設定率が可能となる。
【発明を実施するための最良の形態】
【０００６】この発明の一実施形態を、図１、図２に示す。
このパチンコ遊戯台は大当たり確率変動の投票券を遊戯者が挿入することにより、設定後、遊戯者が好む番号、図柄の組合せ、組合せ列により大当たり設定が変化する。【０００７】「実施形態の効果」
この実施形態によれば、各遊戯者が確率の低い大当たりをただ待ちながら遊戯を行うのではなく、自分の好きな数字（図柄）、還元率に従い遊戯することが可能となり、遊戯台提供者は同一機種、設置スペースの提供でありながら集客力向上が期待できる。【０００８】「他の実施形態」
図１、図２の実施形態では、マークシート付の大当たり確率変動の投票券を遊戯台に挿入し、大当たり確率を設定する構造であるが、他の実施形態では、マークシート入力と同様の入力が可能である操作盤を遊戯台本体に増設することによって、管理者側の用紙資源の減少や、回収、清掃業務といった労力を軽減した遊戯方法も可能である。
【図面の簡単な説明】
【０００９】
【図１】この発明の一実施形態を示す投票券の図案である。仮に遊戯台の３連する数字（図柄）によって、大当たりの決定がなされる場合、この３連する数字（図柄）を遊戯者は投票券の任意の数字（図柄）をマークシートで決定し、遊戯台に読み込ませることにより、以後の遊戯の大当たり数字（図柄）組合せを任意に設定できる。また設定数字（図柄）には不固定数値（図柄）を許す事と、指定列の組合せ（１列のみ、複数列、ナナメ列、斜め列複数）による設定で大当たりの確率を変動させ、高配当の１連の数字（図柄）列の設定と、低配当の数字（図柄）列双方の設定を可能とし、遊戯者の任意の選択により同一の遊戯装置で、高配当、低配当双方の設定が可能となる。
【図２】投票券読み込みの説明のための俯瞰図である。遊戯者は図１の投票券完成後、遊戯台に設置された投票券読取装置に投票券を挿入、読込ます事によって、以後の大当たり権利を設定できる。
【図３】他の実施形態を示す俯瞰図である。遊戯者は図１の投票券を遊戯台に読み込ませる方式の他、投票券と同様の入力方式を持つ遊戯台においては銀行ＡＴＭの様にこの操作盤を操作し、入力を行うことによって、前述図２の挿入作業と同様の事を行うことが可能である。
【符号の説明】
【００１０】１  遊戯装置に読み込ませる大当たり投票券
２  大当たりを決定する数字（図柄）の各行設定欄
３  大当たり決定数字（図柄）の組合せ列選択欄
４  組合せ、選択により大当たり還元率に差異が出ることの説明文
５  大当たりの設定が変動するパチンコ（スロット）遊戯台
６  機械に投票券を読み込ませた結果
７  投票券読み取りスロット
８  投票券
９  大当たりの設定が変動するパチンコ（スロット）遊戯台
１０  図２の４投票券読み取り挿入と同様の入力結果をもたらす操作入力盤
【図１】
2008264452.tif 000003
【図２】
2008264452.tif 000004
【図３】
2008264452.tif 000005
(57)【要約】      （修正有）【課題】病気は体内の循環液の電気平衡異常が関係し、特に体液中プラスイオンの増加時、蛋白質の分子量が増加し体液の粘性が強くなり、色々の病気を併発する。人体は体内で生じた静電気異常を、皮膚の表面の特定場所「つぼ」に移動させ、体外に放出する機能をもつ。中国医学では経験的にハリや灸で対応してきたが、痛い、熱い、臭いという欠点があり、つぼに集中するプラスイオンを金属箔で吸収し体外に放出する。【解決手段】活性炭素と金属が接した状態で弱電気が発生しておきる電池作用を利用し、活性炭素を主体とする円形の膜１と金、銀、銅、アルミニュームなどの円形の薄箔２と粘着マット３，４とからなる金属泊皮膚電池を皮膚の上の「つぼ」に貼って、体液の中のプラスイオンを吸着し、これを金属箔に移動させ、空気中に放電させる。これで電気平衡を保ち体液の蛋白質の分子量が小さくなり体液の粘度が低下して、ハリや灸の欠点が解決される。【選択図】図１
2008264440.tif 000002
【特許請求の範囲】
【請求項１】
電気と熱の良伝導体である銀、金、アルミニューム、銅等の箔を使い、これを円形に切り、人体の表面の要所にこれを貼付する。
人体の体液のイオンを交換し静電気平衡が保てる様に役立てる。
【請求項２】
上記の金属箔の裏面に活性炭素またはこれと同様の働きをする鉱物の粉末で作った箔を貼り付ける。鉱物は炭素の原子振動による遠赤外線を発する石墨片岩などの微粒粉末に、粘着物質を混和して円形薄片として、上記金属箔貼付する。  大きさは金属箔の半分の直径程。これを活性炭素の面が肌に付くように、肌に貼る。
【請求項３】
上記金属箔は熱の良導体であり、これを人体の皮膚に貼ると、高温の物体が触れる際には熱が良く伝わる。適切な温度の物体を触れさすと、灸と同様の効果が皮膚の上に起きる。
【発明の詳細な説明】
【技術分野】
【０００１】本発明は金属箔に活性炭素鉱物の粉末などの薄片を貼付し、これを皮膚に貼り、人体の体内のイオン交換を行い静電気平衡を保たせることを目的としている。【０００２】この種の金属箔の皮膚電池は今まで存在していない。【０００３】従来、人体の固有の静電気の平衡状態を是正するのに、つぼと称する体液の交差点に、高温度の灸や静電気移動の目的のハリをつぼに刺しその目的を達していた。今回の発明による皮膚電池はただ皮膚の要所に貼るだけでその目的を達している。
【発明の開示】
【発明が解決しようとする課題】
【０００４】以上のべた従来の人体の静電気平衡を維持するための方法は、ハリや灸を始め、指圧などの古来からの中国医学を基本とした方法であった。
これ等はいずれも、熱い、痛、臭いいなどの欠点を持っている。
これが解決を要する課題である。
【課題を解決するための手段】
【０００５】本発明は上記の欠点を除去するために、体内の血液やリンパ液の静電気平衡を維持する目的で、電気の良導体であり、熱の良導体である特殊金属の箔とこれに活性炭素を含む特殊活性炭素箔を密着させ、無臭、無痛で、人体内の静電気異常を平衡維持する方法である。【０００６】上記に対応する方法は、中国医学のハリや灸であるが、いずれも熱い、痛い、臭いという欠点をもつ。この発明では、効果は十分あるが上記の欠点を持たない。
【発明の効果】
【０００７】上記の通り、ただ皮膚の上に貼るだけであり、痛くも、熱くも、臭くもなく、体液のイオン交換など、各種効果が可能である。
【発明の実施するための最良の形態】
【０００８】以下、本発明の実施の形態を図１〜図３に基づいて説明する。
【０００９】図において、
１は原子振動を起こす活性炭素を主体とする円形の膜である。
直径は３ｍｍ。厚さは０．３ｍｍ。これが遠赤外線を発する。
２は、金、銀、銅、アルミニュームなどの円形の薄箔で、直径は６ｍｍ。厚さは１０ミクロン。
３は粘着マット。医薬用の粘着マットであり、通気性あり、消毒済。
４は皮膚電池を皮膚に貼付する医薬用３同様の粘着マットであり、直径１２ｍｍ。
【００１０】以下、上記構成の内容の有効性を説明する。
人体の皮膚面にある「つぼ」は、全部で３６５箇所が中国医学で確認されており、わが国の医学界でも、その作用が確認されている。
「つぼ」は経絡と呼ばれるリンパ液により、人体の内部器官と皮膚表面とを結ぶもので、人体内部器官で起こったプラスイオンを体の表面の「つぼ」に、移動させ、これを対外に放電することにより、体の静電気の電気平衡を維持する働きを持っている。発明の電池は測定では、２５マイクロボルト程度の電気を発生する電池であり、この電池を「つぼ」に貼ることで、「つぼ」に近付く、リンパ球の中のプラスイオンを吸着し金属箔に吸着させ、通気性の高い粘着マットを通し、大気中に放電させる。これが本発明の基本である。
【図面の簡単な説明】
【００１１】
【図１】  本発明の斜め上から見た、模式的説明図
【図２】  本発明の真横から見た説明図
【符号の説明】
【００１２】  １    遠赤外線鉱物  厚さ０．３  ｍｍ    直径  ３ｍｍ
２    金属箔        厚さ１０ミクロン  直径  ６ｍｍ
３    粘着マット    厚さ１００ミクロン  直径  ６ｍｍ
４    粘着マット    厚さ１００ミクロン  直径  １２ｍｍ
【図１】
2008264440.tif 000003
【図２】
2008264440.tif 000004